(57)【要約】【課題】本発明は、丸みを帯びた部位への化粧料の塗布を容易にする化粧用スポンジを提供する。【解決手段】外縁２に囲まれた塗布面３を有する化粧用スポンジ１であって、外縁２が、凹の円弧を有する凹部２１を備えることを特徴とする。【選択図】図１
2017189513.tif 000002
【特許請求の範囲】
【請求項１】
外縁に囲まれた塗布面を有する化粧用スポンジであって、
前記外縁が、凹の円弧を有する凹部を備えることを特徴とする化粧用スポンジ。
【請求項２】
前記外縁が、前記凹部とは別に、凸の円弧を有する小凸部を備え、
前記小凸部の曲率半径が前記凹部の曲率半径よりも小さいことを特徴とする請求項１に記載の化粧用スポンジ。
【請求項３】
前記外縁が、前記小凸部とは別に、凸の円弧を有する大凸部を備え、
前記大凸部の弧長が前記凹部の弧長よりも長いことを特徴とする請求項２に記載の化粧用スポンジ。
【請求項４】
前記小凸部、前記凹部、及び、前記大凸部が順に連なり、
前記小凸部の内曲面と前記大凸部の内曲面とが、互いに対向した位置にあることを特徴とする請求項３に記載の化粧用スポンジ。
【請求項５】
前記凹部の曲率半径が、５ｍｍ〜３００ｍｍの範囲内であることを特徴とする請求項１〜４のいずれか１項に記載の化粧用スポンジ。
【請求項６】
湿式ポリウレタン、乾式ポリウレタン、アクリロニトリルブタジエンゴム、スチレンブタジエンゴム、天然ゴム、及び、ポリビニルアルコールからなる群より選択されるいずれかの材料からなることを特徴とする請求項１〜５のいずれか１項に記載の化粧用スポンジ。
【請求項７】
平板状であり、厚さが４ｍｍ〜２４ｍｍの範囲内であることを特徴とする請求項１〜６のいずれか１項に記載の化粧用スポンジ。
【請求項８】
発泡体に含浸された液状の化粧料を塗布するために用いられることを特徴とする請求項１〜７のいずれか１項に記載の化粧用スポンジ。
【発明の詳細な説明】
【技術分野】
【０００１】
本発明は、化粧料を肌に塗布するための化粧用スポンジに関する。
【背景技術】
【０００２】
従来、化粧料を顔面等の肌に塗布するための化粧用スポンジとして、合成樹脂の発泡体を円形や長方形に成形したものが市販されている。このような円形や長方形に成形した化粧用スポンジでは、小鼻、唇や目の周りなど細かい部分やくぼんだ部分に化粧料を塗布する場合、折りたたむなどして当該肌の部分にあてる必要があり、化粧料がしづらいことから、様々な化粧用スポンジが提案されている（例えば特許文献１参照）。
【０００３】
特許文献１に記載の化粧用スポンジは、円形の底面と、前記底面よりも小さい円形の上面と、底面及び上面の周縁部に連なる斜面と、を有するほぼ円錐台形状に成形されている。すなわち、特許文献１に記載の化粧用スポンジは、周縁部から中央部に向かって厚みが漸増している。以上のことから、前記化粧用スポンジは、前記斜面の中央部分と周縁部近傍の部分とを化粧料塗布面として使い分けることにより、面積の広い肌の部分及び面積の狭い肌の部分のどちらにも対応することができる。
【先行技術文献】
【特許文献】
【０００４】
【特許文献１】特開２００１−３２１２２３号公報
【発明の概要】
【発明が解決しようとする課題】
【０００５】
しかしながら、円形や長方形に形成された化粧用スポンジや特許文献１に記載の従来の化粧用スポンジでは、特に下瞼の部分などのような丸みを帯びた部位に化粧料を塗布することが難しいという問題があった。
【０００６】
従って、本発明は、上記のような問題点に着目し、特に下瞼の部分などのような丸みを帯びた部位への化粧料の塗布を容易にする化粧用スポンジを提供することを目的とする。
【課題を解決するための手段】
【０００７】
本発明の化粧用スポンジは、外縁に囲まれた塗布面を有する化粧用スポンジであって、前記外縁が、凹の円弧を有する凹部を備えることを特徴とする。このことから、顔面の中でも、特に下瞼の部分などのような丸みを帯びた部位に化粧料を塗布するときに、塗布面のうち凹部の内側部分を用いることで、塗布面の当該部分が塗布する肌の部分に合った形状となり、化粧料を塗布し易い。
【０００８】
本発明の化粧用スポンジにおいて、前記外縁が、前記凹部とは別に、凸の円弧を有する小凸部を備え、前記小凸部の半径が前記凹部の曲率半径よりも小さくなるようにしてもよい。このことから、塗布面のうち小凸部の内側部分が面積の小さな先細りの形状となり、顔面に化粧料を塗布するときに、当該部分を用いることで、特に小鼻、唇や目の周りなど細かい部分やくぼんだ部分に化粧用スポンジをあてやすくなり、化粧料を塗布し易い。
【０００９】
本発明の化粧用スポンジにおいて、前記外縁が、前記小凸部とは別に、凸の円弧を有する大凸部を備え、前記大凸部の弧長が前記凹部の弧長よりも長くなるようにしてもよい。このことから、塗布面のうち大凸部の内側部分の面積が大きくなり、当該部分を用いることで、顔面に化粧料を塗布するときに、特に額や頬などの面積の大きい部分に化粧料を塗布し易い。
【００１０】
本発明の化粧用スポンジにおいて、前記小凸部、前記凹部、及び、前記大凸部が順に連なり、前記小凸部の内曲面と前記大凸部の内曲面とが、互いに対向した位置にあるようにしてもよい。このことから、化粧用スポンジに小凸部、凹部、大凸部を配置しやすくなり、塗布する肌の部分の面積や凹凸に合わせて塗布し易い化粧用スポンジにすることができる。
【００１１】
本発明の化粧用スポンジにおいて、前記凹部の曲率半径は、５ｍｍ〜３００ｍｍの範囲内であることが好ましい。このことから、凹部が下瞼の際にさらに合った形状になり、下瞼の部分に化粧料をさらに塗布しやすくすることができる。
【００１２】
本発明の化粧用スポンジにおいて、湿式ポリウレタン、乾式ポリウレタン、アクリロニトリルブタジエンゴム、スチレンブタジエンゴム、天然ゴム、及び、ポリビニルアルコールからなる群より選択されるいずれかの材料からなることが好ましい。このことから、肌への感触が滑らかになり、化粧料を塗布するときに化粧用スポンジの使用感をさらに良好にすることができる。
【００１３】
本発明の化粧用スポンジにおいて、平板状であり、厚さが４ｍｍ〜２４ｍｍの範囲内であることが好ましい。このことから、化粧料を肌に対して均一に塗布することができる。
【００１４】
本発明の化粧用スポンジは、発泡体に含浸された液状の化粧料を塗布するために用いられてもよい。このことから、化粧用スポンジを液状の化粧料が含浸された発泡体に押し当てることで、凹部の内側部分、すなわち塗布面の際まで化粧料を均一にとることができる。従って、顔面に化粧料を塗布するときに、特に下瞼の部分などのような丸みを帯びた部位により簡易に、かつ、むらなく化粧料を塗布することができる。
【発明の効果】
【００１５】
本発明の化粧用スポンジによれば、顔面の中でも、特に下瞼の部分などのような丸みを帯びた部位に化粧料を塗布するときに、塗布面のうち凹部の内側部分が塗布する部分に合った形状となり、当該部分を用いることにより丸みを帯びた部位への化粧料の塗布が容易になる。
【図面の簡単な説明】
【００１６】
【図１】本発明の一実施形態にかかる化粧用スポンジを示す平面図である。
【図２】図１に示した化粧用スポンジの矢視Ｉ−Ｉ断面における要部を拡大して示す断面図である。
【図３】本発明の一実施形態にかかる化粧用スポンジを示す斜視図である。
【図４】本発明の一実施形態にかかる化粧用スポンジを用いるときに使用する化粧料の一例を示す斜視図である。
【図５】従来の化粧用スポンジを示す図であり、（Ａ）は平面図であり、（Ｂ）は側面図である。
【発明を実施するための形態】
【００１７】
本発明の一実施形態にかかる化粧用スポンジを、図１〜３を参照して説明する。
【００１８】
本実施形態の化粧用スポンジ１は、ファンデーション、コンシーラー、チーク、下地用化粧料等の化粧料を顔面等の皮膚に塗布するために用いられるものである。ファンデーションのうち、特に、粉末状のファンデーションを固めた形状のパウダーファンデーション、液状のリキッドファンデーション、クリーム状のクリームファンデーションに対して好適に用いることができる。図１は化粧用スポンジ１を示す平面図、図２は図１の矢視Ｉ−Ｉ断面の要部を拡大して示す断面図、図３は化粧用スポンジ１を示す斜視図である。化粧用スポンジ１は、平板状であり、外縁２に囲まれた２つの塗布面３と、２つの塗布面３に連なる側面４と、を有する。
【００１９】
外縁２は、凹の円弧を有する凹部２１と、凸の円弧を有する小凸部２２と、凸の円弧を有する大凸部２３と、凸の円弧形状であり、小凸部２２と大凸部２３とを連結する連結部２４と、を備える。凹部２１、小凸部２２、及び、大凸部２３は、それぞれ別に設けられている。側面４は、図２に示すように断面視において、外側に向かって凸の円弧状になるように形成されている。
【００２０】
図１に示すように、外縁２は、小凸部２２、凹部２１、大凸部２３、及び、連結部２４が順に連なり、小凸部２２の内曲面２２１と大凸部２３の内曲面２３１とが互いに対向した位置にあるように配置されている。このことから、化粧用スポンジ１に小凸部２２、凹部２１、大凸部２３を配置し易い。また、塗布面３は、凹部２１の内側部分である第一塗布部３１と、小凸部２２の内側部分である第二塗布部３２と、大凸部２３の内側部分である第三塗布部３３と、を有する。後述するように、第一塗布部３１、第二塗布部３２、第三塗布部３３は、塗布する肌の部分の面積や凹凸に合わせて使い分けることで、肌の各部分に化粧料を塗布しやすい形状になっている。このことから、塗布する肌の部分の面積や凹凸に合わせて塗布し易い機能的な化粧用スポンジにすることができる。
【００２１】
図１に示すように、第一塗布部３１は、第一塗布部３１の縁である凹部２１が凹の円弧を有することから、特に下瞼等の丸みを帯びた肌の部分に化粧料を塗布し易い形状になっている。
【００２２】
凹部２１の曲率半径は、５ｍｍ〜３００ｍｍの範囲内であることが好ましく、１０ｍｍ〜２５０ｍｍの範囲内であることがより好ましく、２０ｍｍ〜２００ｍｍの範囲内であることがさらに好ましい。このことから、凹部２１が下瞼の際にさらに合った形状になり、第一塗布部３１を用いることにより下瞼の部分に化粧料をさらに塗布し易い。
【００２３】
また、化粧用スポンジ１は、小凸部２２の曲率半径が凹部２１の曲率半径よりも小さくなるように形成されている。さらに、小凸部２２の曲率半径は、３ｍｍ〜５０ｍｍの範囲内であることが好ましい。第二塗布部３２は、第二塗布部３２の縁である小凸部２２が凸の円弧を有し、小凸部２２の曲率半径が凹部２１の曲率半径よりも小さくなるように形成されていることから、第二塗布部３２が面積の小さな先細りの形状となり、顔面に化粧料を塗布するときに第二塗布部３２を用いることで、特に小鼻、唇や目の周りなど細かい部分やくぼんだ部分に化粧用スポンジをあてやすくなり、化粧料を塗布し易い。
【００２４】
また、化粧用スポンジ１は、大凸部２３の弧長が凹部２１の弧長よりも長くなるように形成されている。さらに、大凸部２３の弧長が１０ｍｍ〜１００ｍｍの範囲内であることが好ましく、３０ｍｍ〜７０ｍｍであることがさらに好ましい。また、凹部２１の弧長が１０ｍｍ〜８０ｍｍの範囲内であることが好ましく、２０ｍｍ〜６０ｍｍであることがさらに好ましい。第三塗布部３３は、第三塗布部３３の縁である大凸部２３が凸の円弧を有し、大凸部２３の弧長が凹部２１の弧長よりも長くなるように形成されていることから、第三塗布部３３の面積が大きくなり、第三塗布部３３を用いることで、顔面に化粧料を塗布するときに、特に額や頬などの面積の大きい部分に化粧料を塗布し易い。
【００２５】
化粧用スポンジ１は、化粧用スポンジの材料として用いられる発泡材料を用いることができ、湿式ポリウレタン、乾式ポリウレタン、アクリロニトリルブタジエンゴム（ＮＢＲ）、スチレンブタジエンゴム（ＳＢＲ）、天然ゴム（ＮＲ）、及び、ポリビニルアルコール（ＰＶＡ）からなる群より選択されるいずれかの材料からなることが好ましく、特に湿式ポリウレタンを好適に用いることができる。化粧用スポンジ１に適切な材料を用いることにより、肌への感触が滑らかになり、化粧料を塗布するときに化粧用スポンジの使用感をさらに良好にすることができる。
【００２６】
また、化粧用スポンジ１の材料には、防菌、防黴加工や、撥水、撥油加工が施されていることが好ましい。化粧用スポンジ１を使用するときに化粧料が付着して雑菌等が繁殖することがあるが、防菌、防黴加工が施されていることにより雑菌等の繁殖が抑制され、化粧用スポンジ１を衛生的に使用することができる。また、撥水、撥油加工が施されていることにより、特に液状の化粧料を使用するときに、化粧用スポンジ１にとった化粧料のうち化粧用スポンジ１に残る量が少なくなり、化粧料が肌に移りやすくなる。
【００２７】
また、化粧用スポンジ１は、厚みが４ｍｍ〜２４ｍｍの範囲内であることが好ましい。化粧用スポンジ１が薄すぎると、化粧料を肌に対して均一に塗布することが難しく、化粧用スポンジ１が厚すぎると、携帯性が悪くなり、取扱いが煩雑になる。化粧用スポンジ１の厚みを適切に設定することにより、化粧料を肌に対して均一に塗布することができ、取扱い易くすることができる。
【００２８】
次に、化粧用スポンジ１を用いて、化粧料を肌に塗布する方法について説明する。本実施形態では、含浸化粧料を化粧用スポンジ１を用いて顔面に塗布する場合を例示する。以下の記載は化粧用スポンジ１の使用方法の一例であり、例えば使用者が使用しやすいように別の方法や手順を用いてもよく、以下の方法に限定されるものではない。
【００２９】
図４は、化粧用スポンジ１を用いるときに使用する化粧料の一例である含浸化粧料Ｃを示す斜視図である。含浸化粧料Ｃは、外容器Ｃ１と、外容器Ｃ１に取り付けられた内容器Ｃ２と、液状の化粧料と、内容器Ｃ２に収容され、前記液状の化粧料が含浸された円柱状の発泡体Ｃ３と、を備える。また、発泡体Ｃ３の側面には、液状の化粧料が内容器Ｃ２に浸出し過ぎないようにするために、皮付き加工が施されている。
【００３０】
含浸化粧料Ｃの液状の化粧料を化粧用スポンジ１を用いて肌に塗布する際には、まず、第三塗布部３３が上向き（指先側）になるように、凹部２１及び連結部２４に連なる側面４の部分を指先で持ち、第三塗布部３３を発泡体Ｃ３に押し当てて液状の化粧料を第三塗布部３３にとり、額や頬などの面積の大きい部分に化粧料を塗布する。次に、第一塗布部３１、第二塗布部３２が上向き（指先側）になるように、大凸部２３及び連結部２４に連なる側面４の部分を指先で持ち、第一塗布部３１及び第二塗布部３２を発泡体Ｃ３に押し当てて液状の化粧料を第一塗布部３１及び第二塗布部３２にとり、第一塗布部３１を用いて下瞼の部分に化粧料を塗布し、さらに、第二塗布部３２を用いて小鼻、唇や目の周りなど細かい部分やくぼんだ部分に化粧料を塗布する。以上のようにして顔面の各部分の面積や凹凸に合わせて化粧用スポンジ１の塗布面３の各部分を使い分けることで、液状の化粧料を塗布し易い。
【００３１】
以上に説明したように、化粧用スポンジ１は、含浸化粧料を塗布するために用いられてもよい。このことから、化粧用スポンジ１を液状の化粧料が含浸された発泡体Ｃ３に押し当てることで、化粧用スポンジ１の塗布面３の縁まで化粧料を均一にとることができる。すなわち、凹部２１の内側部分、すなわち第一塗布部３１の際まで化粧料を均一にとることができ、顔面に化粧料を塗布するときに、特に下瞼の部分などのような丸みを帯びた部位により簡易に、かつ、むらなく化粧料を塗布することができる。
【００３２】
また、含浸化粧料に対して、図５に示すような２枚の丸型の発泡体を積層して熱圧着により互いに接着して、熱圧着した発泡体５１０に指を通すためのリボン５２０をつけた化粧用スポンジ５００が用いられることがある。しかし、このような従来の化粧用スポンジ５００は、熱圧着により発泡体５１０の縁に形成された固い部分５１１（いわゆるバリの部分）が肌に当たって使用感がよくなく、また、化粧用スポンジ５００を肌の上に滑らせて化粧料を塗布するときに、リボン５２０とリボン５２０に通した指との間に隙間ができやすく、指の動きに伴って化粧用スポンジ５００が動かずに指のみが動いてしまうということがあり塗布しづらいという問題があった。このような化粧用スポンジ５００に対して、化粧用スポンジ１を用いることにより、熱圧着により形成された固い部分５１１が肌に当たることがないことから使用感がよく、また、化粧用スポンジ１の側面を狭持して固定することができ、化粧用スポンジを肌の上に滑らせやすく、化粧料を肌に塗布しやすい。
【００３３】
以上のような本実施形態の化粧用スポンジ１が凹部２１を有することから、顔面の中でも、特に下瞼の部分などのような丸みを帯びた部位に化粧料を塗布するときに、塗布面のうち凹部２１の内側部分である第一塗布部３１が塗布する肌の部分に合った形状となり、第一塗布部３１を用いることにより丸みを帯びた部位への化粧料の塗布が容易になる。
【００３４】
なお、本発明の化粧用スポンジは、凹部、小凸部、大凸部以外に、化粧料を塗布する肌の部分の面積や形状に合わせた外縁部分を有していてもよく、そのような部分を有することにより、さらに化粧料を肌に塗布し易い化粧用スポンジにすることができる。
【００３５】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。
【００３６】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【実施例】
【００３７】
以下、実施例及び比較例を挙げて、本発明をより具体的に説明する。但し、本発明は、以下の実施例により限定されるものではない。
【００３８】
本実施例においては、化粧用スポンジを用いて発泡体に含浸された液状の化粧料を顔面に塗布する場合を例示する。
【００３９】
（実施例１）
本実施例１の化粧用スポンジＡを以下のように成形した。材料として防菌、防黴加工及び、撥水、撥油加工が施された平板状の湿式ポリウレタンを用いた。化粧用スポンジＡの外形は図１〜３に示した化粧用スポンジ１と同様であり、凹部の曲率半径は１５０ｍｍ、弧長は４０ｍｍ、小凸部の曲率半径は６ｍｍ、弧長は８ｍｍ、大凸部の曲率半径は２５ｍｍ、弧長は７０ｍｍとした。また、化粧用スポンジＡの厚さは８ｍｍとした。
【００４０】
（比較例１）
比較例１の化粧用スポンジＢを以下のように成形した。化粧用スポンジＢは、図５に示した化粧用スポンジ５００と同様であり、湿式ポリウレタンを用いて、２枚の丸型の発泡体を積層して熱圧着により互いに接着して、熱圧着した発泡体に指を通すためのリボンをつけたものとした。
【００４１】
［評価試験］
＜化粧料＞
まず、化粧用スポンジを用いて顔面に塗布する含浸化粧料Ｃを調製した。図４は、含浸化粧料Ｃを示す斜視図である。含浸化粧料Ｃは、外容器Ｃ１と、外容器に取り付けられた内容器Ｃ２と、内容器Ｃ２に収容され、液状の化粧料が含浸された円柱状の発泡体Ｃ３と、を備える。また、発泡体Ｃ３は、抗菌加工が施されたポア数平均３７ｐｐｉ（１インチ（２５．４ｍｍ）あたりのポア数平均が３７）のアクリロニトリルブタジエンゴムを用いて直径４８ｍｍ、厚さ１０ｍｍの円柱状に形成し、発泡体Ｃ３の側面には、液状の化粧料が内容器Ｃ２に浸出し過ぎないようにするために、皮付き加工を施した。また、液状の化粧料の粘度は１５０００ｃｐｓ（１５Ｐａ・ｓ）〜２９０００ｃｐｓ（２９Ｐａ・ｓ）に調整した。
【００４２】
＜評価方法＞
実施例１の化粧用スポンジＡ、比較例１の化粧用スポンジＢを用いて評価を行った。１１名のモニターによる試験を行い、スポンジの使用感及び仕上がりについて評価した。使用感については、顔面の中でも下瞼の部分などのような丸みを帯びた部位や小鼻、唇や目の周り等の細かい部分やくぼんだ部分に対して化粧用スポンジＡと化粧用スポンジＢのどちらが塗布しやすいか、また、仕上がりについては、顔面に対して含浸化粧料Ｃを塗布した後、化粧用スポンジＡと化粧用スポンジＢのどちらを使用した方が仕上がりがよいか、さらに、それぞれについて自由記述のアンケートを実施し、結果を集計して評価を行った。
【００４３】
［評価結果］
評価結果は、使用感及び仕上がりにおいて、モニター１１名全てが化粧用スポンジＡを選択した。また、自由記述のアンケートにおいて、化粧用スポンジＡについて、目元、口元、小鼻等の細かい部分に対して化粧料を塗布しやすいという評価が得られた。この結果から、実施例１の化粧用スポンジＡの方が、比較例１の化粧用スポンジＢよりも使用感、仕上がり共に優れていることが示された。
【００４４】
［評価結果の考察］
［評価結果］に示したように、実施例１の化粧用スポンジＡは、比較例１の化粧用スポンジＢに比べて、顔面の中でも、特に下瞼の部分などのような丸みを帯びた部位に化粧料を塗布するときに、化粧料を塗布し易いことが確認された。また、実施例１の化粧用スポンジＡは、比較例１の化粧用スポンジＢに比べて、細かい部分やくぼんだ部分に対して塗布しやすいことが確認された。
【符号の説明】
【００４５】
１      化粧用スポンジ
２      外縁
３      塗布面
４      側面
２１    凹部
２２    小凸部
２３    大凸部
２４    連結部
３１    第一塗布部
３２    第二塗布部
３３    第三塗布部
２２１  内曲面
２３１  内曲面
Ｃ      含浸化粧料
Ｃ１    外容器
Ｃ２    内容器
Ｃ３    発泡体
【図１】
2017189513.tif 000003
【図２】
2017189513.tif 000004
【図３】
2017189513.tif 000005
【図４】
2017189513.tif 000006
【図５】
2017189513.tif 000007